(57)【要約】【課題】手袋の各指の指袋の編成途中で第１キャリアに代えて第２キャリアで編成することができる横編機を提供する。【解決手段】キャリッジの第１及び第２連行ピン２１Ａ，２２を上側及び下側糸道トラック１２，１３上の第１及び第２キャリア１５，１６の主係合部１５Ｃ，１６Ｃに連行可能に係合させて、第１キャリア１５からの給糸により手袋の小指の指袋を先端から順に編成する横編機を前提とする。人差し指の指袋を編成する際のキャリッジの一方のストロークＳ端よりも連行方向外方にて第２キャリア１６の副係合部１６Ｄに連行可能に係合し、かつキャリッジの一方のストロークＳ端まで第２キャリア１６が連行された際に副係合部１６Ｄとの係合を解除する外方連行ピン２５と、キャリッジの一方のストロークＳ端まで第２キャリア１６が連行された際に主係合部１６Ｃに係合する第２連行ピン２２とを備える。【選択図】図２
2014201857.tif 000002
【特許請求の範囲】
【請求項１】
歯口を挟んで前後に対向する一対の針床に沿ってそれぞれ設けられた上下の糸道トラックのうちの１つの第１糸道トラック上に第１キャリアが配置されている一方、残る他の糸道トラックのうちの１つの第２糸道トラック上に第２キャリアが配置され、前記第１及び第２糸道トラックに臨んだ状態でそれぞれキャリッジに設けられた第１及び第２連行ピンを突出方向への付勢力により前記第１及び第２キャリアの主係合部に対し交互に連行可能に係合させ、前記両キャリアのうちの第１キャリアを前記キャリッジの移動に伴い先に連行させてこの第１キャリアから給糸される編糸により手袋の各指のうちの少なくとも小指の指袋を先端から順に編成する横編機において、
前記キャリッジには、前記手袋の各指のうちの残る指の指袋を編成する際の当該キャリッジのストローク端よりも前記第２糸道トラックの連行方向外方に待機する前記第２キャリアの副係合部に対し突出方向への付勢力により連行可能に係合する外方連行ピンが前記第２糸道トラックに臨んだ状態で設けられており、
前記第２連行ピンの突出経路上には、前記第２連行ピンの付勢力による突出方向への移動を許容して当該第２連行ピンを前記第２キャリアの主係合部に係合させる許容位置と、前記第２連行ピンの付勢力による突出方向への移動を規制して前記第２キャリアの主係合部との係合を解除する規制位置と、に変換される第２連行ピン用制御杆が設けられている一方、
前記外方連行ピンの突出経路上には、前記外方連行ピンの付勢力による突出方向への移動を許容して当該外方連行ピンを前記第２キャリアの副係合部に対し係合させる許容位置と、前記外方連行ピンの付勢力による突出方向への移動を規制して前記第２キャリアの副係合部との係合を解除する規制位置と、に変換される外方連行ピン用制御杆が設けられ、
前記外方連行ピン用制御杆には、前記副係合部に対する前記外方連行ピンの係合により前記第２キャリアが前記キャリッジのストローク端まで連行された際に、当該外方連行ピン用制御杆が許容位置に変換された状態で前記第２キャリアの副係合部に対する前記外方連行ピンの係合を解除する突起が設けられ、
前記第２連行ピンは、前記第２キャリアが前記キャリッジのストローク端まで連行された際に、前記第２連行ピン用制御杆が許容位置に変換された状態で前記第２キャリアの主係合部に係合することを特徴とする横編機。
【請求項２】
前記第２キャリアは、当該第２キャリアに代えて前記第１キャリアから給糸される編糸により前記残る指の指袋を継続して編成する際に、前記第２連行ピン用制御杆の規制位置への変換により前記第２キャリアの主係合部に対する係合が解除された前記第２連行ピンに代えて、前記外方連行ピン用制御杆の許容位置への変換により前記副係合部に対して係合する前記外方連行ピンによって、前記残る指の指袋を編成する際の前記キャリッジのストローク端よりも前記第２糸道トラックの連行方向外方に連行する請求項１に記載の横編機。
【請求項３】
前記外方連行ピン用制御杆は、規制位置に変換されたときに、前記外方連行ピンに対しその突出方向から複数のクランク溝に沿って平行移動して当接し、当該外方連行ピンの付勢力による突出方向への移動を規制して前記副係合部との係合を解除する請求項１又は請求項２に記載の横編機。
【発明の詳細な説明】
【技術分野】
【０００１】
本発明は、前後の針床に沿ってそれぞれ設けた上下の糸道トラックのうちの２つの糸道トラック上のキャリアから給糸される編糸を用いて手袋を編成する横編機に関する。
【背景技術】
【０００２】
一般に、この種の横編機では、歯口を挟んで対向する前後一対の針床を交互に使用して、手袋を編成している。各針床に並設される編針に編糸を給糸するキャリアとしては、前後の針床に沿ってそれぞれ設けられた上下の糸道トラックのうちの１つの第１糸道トラック上に配置された第１キャリアが用いられる。また、手袋の五本胴を第１キャリアからの編糸とこれとは異なる編糸とを交互に給糸して２色のボーダ柄を編成する際には、残る他の糸道トラックのうちの１つの第２糸道トラック上に配置された第２キャリアが併せて用いられる。
【０００３】
このとき、キャリッジには、第１及び第２糸道トラックに臨んだ状態でそれぞれ突出方向への付勢力により第１及び第２キャリアの係合部に対し連行可能に係合する第１及び第２連行ピンが設けられている。そして、第１連行ピンを第１キャリアの係合部に係合させ、両キャリアのうちの第１キャリアから先に給糸される編糸により手袋の各指の指袋を、小指の指袋の先端から順に編成する。また、残る各指の指袋と三本胴及び四本胴とを編成してから最も編幅の広い五本胴を編成する際には、五本胴編成時のキャリッジのストロークでも第２連行ピンが届いて係合可能な位置に第２キャリアが待機するので、この第２キャリアの係合部に第２連行ピンを連行可能に係合させることが可能となる。このため、五本胴を編成する場合には、これよりも編幅の狭い指の指袋では用いられずに各指の指袋の編幅に伴うキャリッジのストロークよりも連行方向外方で待機していた第２キャリアが連行可能に係合される。これにより、第１キャリアの係合部に対する第１連行ピンの係合、及び第２キャリアの係合部に対する第２連行ピンの係合を交互に行って、第１キャリアからの編糸と第２キャリアからの編糸とを交互に給糸して２色のボーダ柄で五本胴を編成することが可能となる。
【０００４】
このような横編機にあっては、各指の指袋の編成の位置やその編幅に伴うキャリッジのストロークが予め機械的に決められているのが一般的である（例えば、特許文献１参照）。
【先行技術文献】
【特許文献】
【０００５】
【特許文献１】特公昭４５−６９９号公報
【発明の概要】
【発明が解決しようとする課題】
【０００６】
ところで、手袋の各指の指袋の編成途中で第１キャリアに代えて第２キャリアで編成したいという要求がある。
【０００７】
しかし、各指の指袋の編成の位置やその編幅に伴うキャリッジのストロークが予め機械的に決められているものでは、残る各指袋の編幅に伴うキャリッジのストローク内に第２キャリアが待機していないため、第２連行ピンを第２キャリアの係合部に連行可能に係合できない。よって、第２キャリアから給糸される編糸によって残る指の指袋を編成することができない。
【０００８】
本発明の目的は、手袋の各指の指袋の編成途中で第１キャリアに代えて第２キャリアで編成することができる横編機を提供することにある。
【課題を解決するための手段】
【０００９】
前記目的を達成するため、本発明では、歯口を挟んで前後に対向する一対の針床に沿ってそれぞれ設けられた上下の糸道トラックのうちの１つの第１糸道トラック上に第１キャリアが配置されている一方、残る他の糸道トラックのうちの１つの第２糸道トラック上に第２キャリアが配置され、前記第１及び第２糸道トラックに臨んだ状態でそれぞれキャリッジに設けられた第１及び第２連行ピンを突出方向への付勢力により前記第１及び第２キャリアの主係合部に対し交互に連行可能に係合させ、前記両キャリアのうちの第１キャリアを前記キャリッジの移動に伴い先に連行させてこの第１キャリアから給糸される編糸により手袋の各指のうちの少なくとも小指の指袋を先端から順に編成する横編機を前提とする。そして、前記キャリッジには、前記手袋の各指のうちの残る指の指袋を編成する際の当該キャリッジのストローク端よりも前記第２糸道トラックの連行方向外方に待機する前記第２キャリアの副係合部に対し突出方向への付勢力により連行可能に係合する外方連行ピンを前記第２糸道トラックに臨んだ状態で設ける。また、前記第２連行ピンの突出経路上には、前記第２連行ピンの付勢力による突出方向への移動を許容して当該第２連行ピンを前記第２キャリアの主係合部に係合させる許容位置と、前記第２連行ピンの付勢力による突出方向への移動を規制して前記第２キャリアの主係合部との係合を解除する規制位置と、に変換される第２連行ピン用制御杆を設ける。一方、前記外方連行ピンの突出経路上には、前記外方連行ピンの付勢力による突出方向への移動を許容して当該外方連行ピンを前記第２キャリアの副係合部に対し係合させる許容位置と、前記外方連行ピンの付勢力による突出方向への移動を規制して前記第２キャリアの副係合部との係合を解除する規制位置と、に変換される外方連行ピン用制御杆を設ける。そして、前記外方連行ピン用制御杆には、前記副係合部に対する前記外方連行ピンの係合により前記第２キャリアが前記キャリッジのストローク端まで連行された際に、当該外方連行ピン用制御杆が許容位置に変換された状態で前記第２キャリアの副係合部に対する前記外方連行ピンの係合を解除する突起を設ける。更に、前記第２連行ピンは、前記第２キャリアが前記キャリッジのストローク端まで連行された際に、前記第２連行ピン用制御杆が許容位置に変換された状態で前記第２キャリアの主係合部に係合することを特徴としている。
この場合、キャリッジのストロークとは、そのストローク両端でのキャリッジの中心であり、この中心上に第２連行ピンも位置している。
【００１０】
また、前記第２キャリアは、当該第２キャリアに代えて前記第１キャリアから給糸される編糸により前記残る指の指袋を継続して編成する際に、前記第２連行ピン用制御杆の規制位置への変換により前記第２キャリアの主係合部に対する係合が解除された前記第２連行ピンに代えて、前記外方連行ピン用制御杆の許容位置への変換により前記副係合部に対して係合する前記外方連行ピンによって、前記残る指の指袋を編成する際の前記キャリッジのストローク端よりも前記第２糸道トラックの連行方向外方に連行することが好ましい。
【００１１】
更に、前記外方連行ピン用制御杆は、規制位置に変換されたときに、前記外方連行ピンに対しその突出方向から複数のクランク溝に沿って平行移動して当接し、当該外方連行ピンの付勢力による突出方向への移動を規制して前記副係合部との係合を解除することが好ましい。
【発明の効果】
【００１２】
残る指の指袋を第２キャリアからの給糸により編成するに当たって、キャリッジのストローク端よりも連行方向外方で待機する第２キャリアが副係合部に対する外方連行ピンの係合によってストローク端まで連行されると、許容位置に変換された状態の外方連行ピン用制御杆３３の突起により第２キャリアの副係合部に対する外方連行ピンの係合を解除し、第２キャリアの主係合部に対し第２連行ピンを係合させて第２キャリアが連行される。これにより、残る指の指袋の編成途中で第１キャリアに代えて第２キャリアで編成することができる。
【００１３】
また、第２キャリア１６に代えて第１キャリアで残る指の指袋を継続して編成する際に、第２キャリアの主係合部に対する第２連行ピンの係合を解除し、副係合部に対し係合する外方連行ピンによって第２キャリアをキャリッジのストローク端よりも連行方向外方に移動させて待機させる。これにより、第２キャリアをキャリッジのストローク端よりも連行方向外方に再度移動させておくことで、残る指の指袋の編成を第２キャリアに邪魔されずに第１キャリアで継続して行うことができる。
【００１４】
更に、外方連行ピン用制御杆を規制位置に変換すると、外方連行ピンに対しその突出方向から複数のクランク溝に沿って平行移動して当接する。これにより、外方連行ピン用制御杆の規制位置への変換動作が複数のクランク溝を支持点にして行われ、付勢力により突出方向へ移動している外方連行ピンを押し戻すに十分な力が発揮されて第２キャリアの副係合部との係合を確実に解除することができる。
【図面の簡単な説明】
【００１５】
【図１】本発明の実施の形態に係る横編機の前側の針床、キャリッジ及び糸道トラックの概略的な構成を示す縦断側面図である。
【図２】図１の横編機により人差し指の指袋を先端から編成するに当たって当該人差し指の編成時のキャリッジの一方のストローク端まで連行された状態での連行ユニット並びに第１及び第２キャリアを示し、（ａ）は上側糸道トラックの直上方から見た第１キャリアの平面図、（ｂ）は下側糸道トラックの直上方から見た第２キャリアの平面図、（ｃ）は上側及び下側糸道トラックの正面から見た連行ユニットの正面図である。
【図３】図２のキャリッジの一方のストローク端まで連行された状態での第２キャリアを示し、（ａ）は外方連行ピンに代えて第２連行ピンにより連行可能に係合された状態での第２キャリアの平面図、（ｂ）は第２連行ピンによる連行を解除した状態での第２キャリアの平面図、（ｃ）は人差し指の指袋を編成する際のキャリッジの一方のストローク端よりも連行方向外方へ外方連行ピンにより連行して当該外方連行ピンによる係合を解除した状態での第２キャリアの平面図をそれぞれ示している。
【図４】第２キャリアを示し、（ａ）は下側糸道トラックの直上方から見た第２キャリアの平面図、（ｂ）は下側糸道トラックの正面から見た第２キャリアの正面図をそれぞれ示している。
【図５】図２の連行ユニットの直上方から見た第２連行ピン用制御杆及び外方連行ピン用制御杆の平面図である。
【図６】図１の横編機により編成された手袋の概略図を示し、（ａ）は人差し指及び親指の先端から第１関節までを導電糸で編成した手袋、（ｂ）は小指、薬指、中指、人差し指及び親指の先端を除く部位をアラミド繊維で編成した手袋をそれぞれ示している。
【発明を実施するための形態】
【００１６】
以下、本発明の実施の形態を図面に基づいて説明する。
【００１７】
図１は本発明の実施の形態に係る横編機の前側の針床、キャリッジ及び糸道トラックの概略的な構成を示す縦断側面図を示している。この図１において、横編機１は、歯口３を挟んで逆Ｖ字状に対向する前後一対の針床２（図１では一方のみ示す）を備えている。針床２には、その長手方向に編針４が並設されている。編針４は、針床２に沿って紙面に垂直な方向に往復移動するキャリッジ５に搭載された編針駆動カム６によって駆動される。なお、図１中３ａは歯口３の中心線である。
【００１８】
針床２の上方には、当該針床２と並行して、キャリッジトラック１１及び上下二段の上側及び下側糸道トラック１２，１３（第１及び第２糸道トラック）が設けられている。キャリッジトラック１１にはキャリッジ５が支持され、このキャリッジ５の上部には、連行ユニット１４が取付けられている。連行ユニット１４は、上側及び下側糸道トラック１２，１３上において紙面に垂直な方向に往復移動可能に支持される第１及び第２キャリア１５，１６をそれぞれキャリッジ５に連行させるか否かの切替えを行う。
【００１９】
横編機１により手袋を編成するに当たっては、後述する図６の（ａ）に示すように、紙面右側から小指Ｔ１、薬指Ｔ２、中指Ｔ３の順に各指袋を先端から根元まで編成した後に、人差し指Ｔ４の指袋を先端から根元まで編成する。この人差し指Ｔ４の指袋の編成については後述する。
【００２０】
図２は横編機１により人差し指Ｔ４の指袋を先端から編成するに当たって当該人差し指Ｔ４の編成時のキャリッジ５の一方のストロークＳ端まで連行された状態での連行ユニット並びに第１及び第２キャリアを示し、（ａ）は上側糸道トラック１２の直上方から見た第１キャリアの平面図、（ｂ）は下側糸道トラック１３の直上方から見た第２キャリアの平面図、（ｃ）は上側及び下側糸道トラック１２，１３の正面から見た連行ユニットの正面図をそれぞれ示している。また、図３はキャリッジ５の一方のストロークＳ端まで連行された状態での第２キャリアを示し、（ａ）は外方連行ピンに代えて第２連行ピンにより連行可能に係合された状態での第２キャリアの平面図、（ｂ）は第２連行ピンによる連行を解除した状態での第２キャリアの平面図、（ｃ）は人差し指の指袋を編成する際のキャリッジ５の一方のストロークＳ端よりも連行方向外方へ外方連行ピンにより連行して当該外方連行ピンによる係合を解除した状態での第２キャリアの平面図をそれぞれ示している。図４は第２キャリアを示し、（ａ）は下側糸道トラック１３の直上方から見た第２キャリアの平面図、（ｂ）は下側糸道トラック１３の正面から見た第２キャリアの正面図をそれぞれ示している。なお、図２及び図３中のＬは、人差し指Ｔ４を実際に編成する際の編幅を示している。
【００２１】
第１キャリア１５は、非導電糸の給糸に用いられ、この非導電糸を給糸する第１給糸口１５Ａを先端に有する第１給糸部材１５Ｂを備えている。また、図２の（ａ）及び（ｃ）に示すように、連行ユニット１４には、上側糸道トラック１２に臨んだ状態で、２つの第１連行ピン２１Ａ，２１Ｂが設けられている。この２つの第１連行ピン２１Ａ，２１Ｂは、スプリング２３の付勢力によって連行ユニット１４から上側糸道トラック１２に臨む方向に突出可能に付勢されている。そして、第１連行ピン２１Ａは、スプリング２３の付勢力によって第１キャリア１５の主係合部１５Ｃに対し連行可能に係合される。他方の第１連行ピン２１Ｂは、キャリッジ５のストロークＳの他方（図２では右側）のストロークＳ端よりも連行方向外方の上側糸道トラック１２上に待機するキャリア（図示せず）に対し連行可能に係合される。この場合、第１連行ピン２１Ａ，２１Ｂは、連行ユニット１４の移動方向両端に設けられているため、各指Ｔ１〜Ｔ５の指袋を編成する際のキャリッジ５のストロークＳ端よりも連行方向外方の第１キャリア１５に対する第１連行ピン２１Ａ，２１Ｂの係合は不可なく行える。
【００２２】
一方、第２キャリア１６は、導電糸の給糸に用いられ、この導電糸を給糸する第２給糸口１６Ａを先端に有する第２給糸部材１６Ｂを備えている。また、図２の（ｂ）に示すように、連行ユニット１４には、下側糸道トラック１３に臨んだ状態で、第２連行ピン２２が設けられている。この第２連行ピン２２は、スプリング２４の付勢力によって連行ユニット１４から下側糸道トラック１３に臨む方向に突出可能に付勢されている。そして、図３の（ａ）に示すように、第２連行ピン２２は、人差し指Ｔ４の指袋を編成するに当たってキャリッジ５の一方のストロークＳ端まで下側糸道トラック１３上の第２キャリア１６が連行されている際に、スプリング２４の付勢力によって当該第２キャリア１６の主係合部１６Ｃに対し連行可能に係合される。
【００２３】
また、連行ユニット１４には、下側糸道トラック１３に臨んだ状態で、外方連行ピン２５が設けられている。この外方連行ピン２５は、スプリング２６の付勢力によって連行ユニット１４から下側糸道トラック１３に臨む方向に突出可能に付勢されている。そして、外方連行ピン２５は、人差し指Ｔ４の指袋を編成するに当たってキャリッジ５の一方のストロークＳ端よりも下側糸道トラック１３上の連行方向外方に第２キャリア１６が待機している際に、スプリング２６の付勢力によって当該第２キャリア１６の副係合部１６Ｄに対し連行可能に係合される。この場合、図４の（ａ）及び（ｂ）に示すように、副係合部１６Ｄは、主係合部１６Ｃの下側に位置している。
【００２４】
更に、第１連行ピン２１Ａ，２１Ｂの外周面には突起２１Ａ１，２１Ｂ１が突設され、この突起２１Ａ１，２１Ｂ１が第１連行ピン２１Ａと共にスプリングの付勢力によって当該第１連行ピン２１Ａ，２１Ｂの突出方向へ移動する。また、上側糸道トラック１２の一側端（図２では左端）には、第１連行ピン用制御杆３１が設けられている。この第１連行ピン用制御杆３１は、第１連行ピン２１Ａに伴う突起２１Ａ１の突出経路上に設けられている。第１連行ピン用制御杆３１は、その基端及び長手方向略中間部付近で平行リンク（図示せず）を介して支持されている。また、第１連行ピン用制御杆３１の基端は、図示しないソレノイドの出没自在な作動軸に一端が支持されたリンクの他端に連結されている。そして、第１連行ピン用制御杆３１は、ソレノイドの作動軸を進出させることで、第１連行ピン２１Ａの付勢力による突起２１Ａ１の突出方向への移動を許容して当該第１連行ピン２１Ａを第１キャリア１５の主係合部１５Ｃに係合させる許容位置に変換される。一方、第１連行ピン用制御杆３１は、ソレノイドの作動軸を没入させることで、第１連行ピン２１Ａの付勢力による突起２１Ａ１の突出方向への移動を規制して第１キャリア１５の主係合部１５Ｃとの係合を解除する規制位置に変換される。
【００２５】
図５は第２連行ピン用制御杆及び外方連行ピン用制御杆の平面図である。下側糸道トラック１３の一側端（図２では左端）には、第２連行ピン２２の突出経路上において当該第２連行ピン２２の突出方向から当接する第２連行ピン用制御杆３２が設けられている。図５に示すように、第２連行ピン用制御杆３２は、一端（図５では左端）がピン３２Ｆにより軸支され、図示しないバネによって第２連行ピン２２の突出方向へ付勢されている。この第２連行ピン用制御杆３２は、第１ソレノイド３２Ａの出没自在な作動軸３２Ｂに一端が支持されたリンク３２Ｃの他端に支持されたアーム３２Ｄを介して第２連行ピン２２の突出方向へのバネの付勢力に抗して反突出方向へ押圧されている。そして、第２連行ピン用制御杆３２は、第１ソレノイド３２Ａの作動軸３２Ｂを没入させることで、第２連行ピン２２の付勢力による突出方向への移動を許容して当該第２連行ピン２２を第２キャリア１６の主係合部１６Ｃに係合させる許容位置（図５では一点鎖線で示す位置）に変換される。一方、第２連行ピン用制御杆３２は、第１ソレノイド３２Ａの作動軸３２Ｂを進出させることで、第２連行ピン２２の付勢力による突出方向への移動を規制して第２キャリア１６の主係合部１６Ｃとの係合を解除する規制位置（図５では実線で示す位置）に変換される。
【００２６】
また、下側糸道トラック１３の一側端には、外方連行ピン２５の突出経路上において当該外方連行ピン２５の突出方向から当接する外方連行ピン用制御杆３３が設けられている。この外方連行ピン用制御杆３３は、基端部付近において一対の固定ピン３３Ｐをそれぞれ摺動させるクランク溝３３Ｋが長手方向に並設されていて、外方連行ピン２５の突出方向に対し平行移動可能に支持されている。また、外方連行ピン用制御杆３３の基端は、第２ソレノイド３３Ａの出没自在な作動軸３３Ｂに一端が支持されたリンク３３Ｃの他端に支持されている。そして、外方連行ピン用制御杆３３は、第２ソレノイド３３Ａの作動軸３３Ｂを進出させることで、外方連行ピン２５の付勢力による突出方向への移動を許容して当該外方連行ピン２５を第２キャリア１６の副係合部１６Ｄに係合させる許容位置（図５では二点鎖線で示す位置）に変換される。一方、外方連行ピン用制御杆３３は、第２ソレノイド３３Ａの作動軸３３Ｂを没入させることで、外方連行ピン２５の付勢力による突出方向への移動を規制して第２キャリア１６の副係合部１６Ｄとの係合を解除する規制位置（図５では実線で示す位置）に変換される。
これにより、外方連行ピン用制御杆３３の規制位置への変換動作が一対のクランク溝３３Ｋを支持点にして行われ、付勢力により突出方向へ移動している外方連行ピン２５を押し戻すに十分な力が発揮されて第２キャリア１６の副係合部１６Ｄとの係合を確実に解除することができる。
【００２７】
更に、外方連行ピン用制御杆３３の先端には、副係合部１６Ｄに対する外方連行ピン２５の係合により第２キャリア１６がキャリッジ５のストロークＳ端まで連行された際に、当該外方連行ピン用制御杆３３が許容位置に変換された状態で第２キャリア１６の副係合部１６Ｄに対する外方連行ピン２５の係合を解除する突起３４が設けられている。
【００２８】
次に、横編機１による手袋の編成手順を図２、図３及び図６に基づいて説明する。
【００２９】
この横編機１では、第１連行ピン２１Ａをスプリング２３による突出方向への付勢力により第１キャリア１５の主係合部１５Ｃに対し連行可能に係合させて、第１キャリア１５から先に給糸される編糸により手袋ＴＡの各指Ｔ１〜Ｔ５のうちの小指Ｔ１の指袋を先端から順に編成し始めて、薬指Ｔ２及び中指Ｔ３の指袋の根元まで順に編成する。
【００３０】
そして、中指Ｔ３の指袋の根元まで編成し終えて人差し指Ｔ４の指袋の先端を編成するに当たり、図２の（ａ）に示すように、人差し指Ｔ４の指袋を編成する際のキャリッジ５の一方のストロークＳ端まで上側糸道トラック１２上の第１キャリア１５が第１連行ピン２１Ａによって連行される。このとき、第１連行ピン用制御杆３１は、第１キャリア１５がキャリッジ５の一方のストロークＳ端まで連行された後、規制位置に変換される。このため、第１連行ピン２１Ａによる第１キャリア１５の主係合部１５Ｃとの係合が解除され、その結果、第１キャリア１５がキャリッジ５の一方のストロークＳ端で待機する。また、図２の（ｂ）に示すように、第２キャリア１６がキャリッジ５の一方のストロークＳ端まで連行された後に外方連行ピン用制御杆３３が許容位置に変換されるため、外方連行ピン２５が第２キャリア１６の副係合部１６Ｄの縁部に当接しており、キャリッジ５の他側（図２では右側）への移動に伴い副係合部１６Ｄに係合される。
【００３１】
その後、キャリッジ５の一方のストロークＳ端まで第２キャリア１６が連行されると、外方連行ピン用制御杆３３が許容位置に変換されているものの、外方連行ピン用制御杆３３の先端の突起３４により外方連行ピン２５が没入する。このため、第２キャリア１６の副係合部１６Ｄに対する外方連行ピン２５の係合が解除され、第２キャリア１６がキャリッジ５の一方のストロークＳ端で停止し、キャリッジ５はそのまま他側へ移動していく。そして、キャリッジ５が一側（図２では左側）へ移動すると、図３の（ａ）に示すように、許容位置に変換されている第２連行ピン用制御杆３２によって第２連行ピン２２が第２キャリア１６の主係合部１６Ｃと係合する。このとき、キャリッジ５により第２キャリア１６を他側へ連行して当該第２キャリア１６による人差し指Ｔ４の編成を開始し、キャリッジ５による第２キャリア１６の一側及び他側への連行を繰り返して第１関節までの指袋の編成を行う。
これにより、第１キャリア１５から給糸される非導電糸により編成される手袋ＴＡの中指Ｔ３の指袋の編成を終えて残る人差し指Ｔ４の指袋の編成に移行する編成途中で、人差し指Ｔ４の指袋を第１キャリア１５に代えて第２キャリア１６から給糸される導電糸により先端から第１関節まで編成することができる。
【００３２】
第２キャリア１６による人差し指Ｔ４の第１関節までの指袋の編成を終えてキャリッジ５の一方のストロークＳ端まで第２キャリア１６が連行されてくると、図３の（ｂ）に示すように、規制位置に変換されている第２連行ピン用制御杆３２によって第２キャリア１６の主係合部１６Ｃに対する第２連行ピン２２の係合を解除する。このとき、第１連行ピン用制御杆３１は、キャリッジ５により一側へ連行されてくるまでは規制位置に変換されているものの、キャリッジ５の一方のストロークＳ端で許容位置に変換される。このため、第１連行ピン２１Ａが第１キャリア１５の主係合部１５Ｃに係合する。
【００３３】
それから、キャリッジ５の他側（図２では右側）への移動に伴い第１連行ピン２１Ａの係合によって連行される第１キャリア１５による人差し指Ｔ４の第１関節以降の指袋の編成を継続して行う。キャリッジ５が他側から一側へ移動してくると、規制位置に変換されていた外方連行ピン用制御杆３３を許容位置に変換して第２キャリア１６の副係合部１６Ｄに外方連行ピン２５を係合する。そして、第２キャリア１６を、元々待機していた、キャリッジ５の一方のストロークＳ端よりも連行方向外方の位置まで連行する。このとき、第２キャリア１６から給糸されていた編糸を、図示しないカッターにより切断する。
【００３４】
そして、キャリッジ５の一方のストロークＳ端よりも連行方向外方への第２キャリア１６の連行後に、許容位置から規制位置に変換された外方連行ピン用制御杆３３によって第２キャリア１６の副係合部１６Ｄに対する外方連行ピン２５の係合を解除し、第２キャリア１６を、元々待機していた、キャリッジ５の一方のストロークＳ端よりも連行方向外方で待機させる。このように、第２キャリア１６をキャリッジ５の一方のストロークＳ端よりも連行方向外方に再度移動して待機させておけば、キャリッジ５の他側（図２では右側）への移動に伴い第１キャリア１５からの給糸による人差し指Ｔ４の第１関節以降の指袋の編成を第２キャリア１６で邪魔されずに円滑に継続して行うことができる。
【００３５】
それ以降、薬指Ｔ２、中指Ｔ３及び人差し指Ｔ４に連続する三本胴を第１キャリア１５からの給糸により編成した後、小指Ｔ１を含めた四本胴を第１キャリア１５からの給糸により編成する。その後、親指Ｔ５の指袋の先端から第１関節までを第２キャリア１５に代えて導電糸により編成し、親指Ｔ５の指袋の第１関節以降を第１キャリア１５からの給糸により編成した後、親指Ｔ５を含めた五本胴を第１キャリア１５からの給糸により編成し、図６の（ａ）に示す手袋ＴＡを得る。
【００３６】
なお、本実施の形態では、人差し指Ｔ４及び親指Ｔ５の先端から第１関節までのみを導電糸により編成したが、第２キャリア１６からの導電糸の給糸よる編成はこの範囲に限定されるものではなく、範囲は自由に設定可能である。しかも、人差し指Ｔ４の指袋を編成するキャリッジ５の一方のストロークＳ端よりも下側糸道トラック１３上の連行方向外方に待機している第２キャリア１６の副係合部１６Ｄに対して係合可能となる連行方向外方へ更に遠く離れた位置に外方連行ピン２５を設けておけば、薬指又は中指の指袋を第２キャリア１６からの導電糸の給糸より編成することもできる。
また、引っ張り強度の高いアラミド繊維よりなる編糸が第２キャリア１６から給糸されるようにし、図６の（ｂ）に示すように、小指Ｔ１、薬指Ｔ２、中指Ｔ３、人差し指及び親指の先端を除く部位を第２キャリア１６から給糸されるアラミド繊維によって手袋ＴＢを編成することもできる。
更に、第１キャリア及び第２キャリアから給糸される編糸の色を互いに異ならせて手袋の各指の指袋を編成する場合にも用いられる。
【００３７】
また、本実施の形態では、前側の針床２における上下二段の上側及び下側糸道トラック１２，１３上の第１及び第２キャリア１５，１６を用いたが、後側の針床における上下二段の上側及び下側糸道トラック上のキャリアを用いてもよく、前後の針床の上下二段の上側及び下側糸道トラック上のキャリアのうちのいずれか２つであればどのような組合せで用いてもよい。
【符号の説明】
【００３８】
１      横編機
２      針床
３      歯口
５      キャリッジ
１２    上側糸道トラック
１３    下側糸道トラック
１５    第１キャリア
１５Ｃ  主係合部
１６    第２キャリア
１６Ｃ  主係合部
１６Ｄ  副係合部
２１Ａ  第１連行ピン
２２    第２連行ピン
２５    外方連行ピン
３２    第２連行ピン用制御杆
３３    外方連行ピン用制御杆
３４    突起
ＴＡ，ＴＢ    手袋
Ｔ１    小指
Ｔ２    薬指
Ｔ３    中指
Ｔ４    人差し指
Ｔ５    親指
【図１】
2014201857.tif 000003
【図２】
2014201857.tif 000004
【図３】
2014201857.tif 000005
【図４】
2014201857.tif 000006
【図５】
2014201857.tif 000007
【図６】
2014201857.tif 000008